(57)【要約】  【課題】電極研磨加工の品質を確保しながらも、研磨作業と電極消耗量検出を同期処理可能にして溶接ラインの稼働ロスを低減可能にし、ロッド側とアーム側の両電極の消耗量検出を精度よく行える技術を提供する。  【解決手段】ドレッサー４を稼働状態として、可動側電極１３をドレス刃２１に押圧して整形研磨し、研磨完了時に可動側電極１３の第１ドレス位置情報を取得し、固定側電極１２をドレス刃２１に押圧して整形研磨し、研磨完了時に固定側電極１２の第２ドレス位置情報を取得し、予め取得した第１基準ドレス位置情報と今回取得した第１ドレス位置情報との差から可動側電極１３の消耗量Ｘを算出し、予め取得した第２基準ドレス位置情報と今回取得した第２ドレス位置情報との差から固定側電極１２の消耗量Ｙを算出する。【選択図】  図１０
2010017748.tif 000002
【特許請求の範囲】
【請求項１】
溶接ガンの固定側電極と可動側電極とを固定式ドレッサーの回転するドレス刃で整形研磨し、各電極の消耗量を計測する方法において、
前記ドレッサーを回転駆動手段で所定の稼働状態とする第１工程と、
移動駆動手段により可動側電極を所定の加圧力でドレス刃に押圧して整形研磨し、研磨完了時に第１位置検出手段で可動側電極の第１ドレス位置情報を取得する第２工程と、
次に、溶接ガンを移動手段で移動させ、固定側電極をドレス刃に押圧しドレッサーの回転駆動手段が所定負荷状態で整形研磨し、研磨完了時に第２位置検出手段で固定側電極の第２ドレス位置情報を取得する第３工程と、
予め取得した第１基準ドレス位置情報と今回の第１ドレス位置情報との差から可動側電極の消耗量を算出すると共に、予め取得した第２基準ドレス位置情報と今回の第２ドレス位置情報との差から固定側電極の消耗量を算出する第４工程と、
を備えたことを特徴とするスポット溶接装置の電極消耗量計測方法。
【請求項２】
移動駆動手段で移動可能な可動側電極と固定側電極とを備えた溶接ガンと、この溶接ガンを移動させる移動手段と、溶接ガンの両電極を整形研磨するドレス刃とドレス刃を回転駆動する回転駆動手段とを有する固定式ドレッサーと、移動駆動手段と移動手段と回転駆動手段とを制御する制御手段とを備えたスポット溶接装置の為の整形研磨後の両電極の消耗量を計測する装置において、
前記可動側電極の移動位置を検出する第１位置検出手段と、
前記固定側電極の移動位置を検出する第２位置検出手段とを備え、
前記制御手段に、
移動駆動手段により可動側電極を所定の加圧力でドレス刃に押圧して整形研磨した研磨完了時に、前記第１位置検出手段により可動側電極の第１ドレス位置情報を取得し、予め取得した第１基準ドレス位置情報と今回の第１ドレス位置情報との差から可動側電極の消耗量を算出する第１演算手段と、
前記移動手段で溶接ガンを移動させ、固定側電極をドレス刃に押圧しドレッサーの回転駆動手段が所定負荷状態で整形研磨した研磨完了時に、前記第２位置検出手段により固定側電極の第２ドレス位置情報を取得し、予め取得した第２基準ドレス位置情報と今回の第２ドレス位置情報との差から固定側電極の消耗量を算出する第２演算手段とを設けたことを特徴とするスポット溶接装置の電極消耗量計測装置。
【請求項３】
前記移動手段がロボットであり、前記第２位置検出手段がロボットの作動位置情報により固定側電極の移動位置を検出することを特徴とする請求項２に記載のスポット溶接装置の電極消耗量計測装置。
【請求項４】
前記ドレッサーの稼働状態及び整形研磨状態の異常を判定する異常判定手段を備えたことを特徴とする請求項２又は３に記載のスポット溶接装置の電極消耗量計測装置。
【発明の詳細な説明】
【技術分野】
【０００１】
本発明は、スポット溶接装置の電極消耗量計測方法及び電極消耗量計測装置に関し、特に研磨加工の品質を確保しながら、ドレッサーによる可動側及び固定側の電極の研磨加工の都度研磨加工と並行的に両電極の消耗量を精度よく計測可能にしたものに関する。
【背景技術】
【０００２】
抵抗溶接であるスポット溶接に用いられる電極は、正常な溶接加工を行う為、常に溶接対象であるワーク（鋼板材料）との接触抵抗を一定に保つことが重要である。接触抵抗が変化することは、抵抗発熱により発熱量が変化することにつながり、その発熱量の変化は、溶融結合される溶融部の状態（溶融量）を変化させ、接合強度に影響を与えることになる。依って、安定した接合強度を得る溶接加工を行う為には、常に電極先端形状を一定の状態に維持することが重要となる。
【０００３】
溶接ライン内では、ドレッサー（研磨装置）を用いて電極先端を整形研磨することで電極先端形状の維持を図っているが、研磨加工を行う際には当然溶接ラインの生産を行うことができないため、溶接ラインの複数のスポット溶接装置のうち１台でも研磨作業を行っていると、他のスポット溶接装置は待機状態となり、大きな稼働ロスが発生する。
【０００４】
近年、スポット溶接の溶接ガンは、サーボモータを用いたサーボガンが主流となっているが、このサーボガンでは、エンコーダ（位置検出装置）により高精度の位置制御と、発生させる加圧力に応じてモータ電流を制御する定電流制御（トルク制御）が特徴であり、これらの位置制御と定電流制御の再現精度を維持する為には溶接加工を行う電極先端位置を正確に把握することが重要である。
【０００５】
そのため、電極位置を検出する為の消耗量検出処理を研磨の都度実施し、常に消耗量を加味した電極先端位置の計算が行われている。しかし、こうして再現精度の維持が図られるが、当然この消耗量検出作業も稼働ロスを発生させる要因となる。この稼働ロスを極力小さくする為には上記の研磨作業と電極先端位置検出作業を、最短時間で処理する技術が要請されている。
【０００６】
特許文献１に記載の「スポット溶接ガンのチップ磨耗量検出装置」においては、摩耗量検出（消耗量検出）作業を行う際、アーム側電極の位置を固定し、ロッド側電極（可動側電極）のみ移動させて研磨加工を行なう。研磨加工時のドレッサー本体位置の変化量をセンサーにて検出してアーム側電極の消耗量を算出し、ロッド側電極の押し込み位置をガン軸エンコーダにて検出して、そのエンコーダ値の変化量から上下の電極総消耗量を算出する。この電極総消耗量からアーム側電極の消耗量を減算することでロッド側電極の消耗量を算出する。そのため、このチップ磨耗量検出技術は、研磨作業と並行的に電極消耗量算出を行うことができる技術である。
【特許文献１】特許第３７００３９０号公報
【発明の開示】
【発明が解決しようとする課題】
【０００７】
前記の特許文献１の技術では、アーム側電極の位置を固定した状態で、センサーによりドレッサー本体の位置を検出することで、アーム側電極の消耗量を検出するため、研磨作業を行う際の加圧動作は、可動側電極のみを移動させてドレッサー本体を下方へ押し込んだ状態で研磨作業を行う必要がある。そのためアーム側電極の消耗量が増大する程ドレッサー本体を押し込む量が増大し、ドレッサー本体を中立位置に保持する為に設けられたスプリングの反力は、それに応じて増大することになる。
【０００８】
このスプリング反力により、可動側電極から付加される加圧力が効率よくアーム側電極に伝達されず、アーム側電極の加圧力の一部がスプリング反力で分担されるため、アーム側電極がドレス刃に押圧される加圧力が、スプリング反力の増大に応じて小さくなる。そのため、研磨加工条件の中でも最も重要となる加圧力が、アーム側電極の消耗量に応じて変化することになる。また、ロッド側電極は、ドレッサー本体をアーム側電極に当接させる押し込み動作中も研磨加工が行われるため、両電極の加工時間が異なり、切削量がズレることになる。これらによって、研磨加工の品質を安定させることが困難である。
【０００９】
しかも、アーム側電極の消耗量の検出時にアーム側電極をロボットのアームを介して基準位置に保持する際に、上記のスプリング反力によりアーム側電極を基準位置に位置決めする精度が低下し、電極消耗量検出精度を高めることが難しい。
【００１０】
本発明の目的は、電極研磨加工の品質を確保しながらも、研磨作業と電極消耗量検出を同期処理可能にして溶接ラインの稼働ロスを低減可能にすること、ロッド側とアーム側の両電極の消耗量検出を精度よく行えるようにすること等である。
【課題を解決するための手段】
【００１１】
請求項１のスポット溶接装置の電極消耗量計測方法は、溶接ガンの固定側電極と可動側電極とを固定式ドレッサーの回転するドレス刃で整形研磨し、各電極の消耗量を計測する方法において、前記ドレッサーを回転駆動手段で所定の稼働状態とする第１工程と、移動駆動手段により可動側電極を所定の加圧力でドレス刃に押圧して整形研磨し、研磨完了時に第１位置検出手段で可動側電極の第１ドレス位置情報を取得する第２工程と、次に、溶接ガンを移動手段で移動させ、固定側電極をドレス刃に押圧しドレッサーの回転駆動手段が所定負荷状態で整形研磨し、研磨完了時に第２位置検出手段で固定側電極の第２ドレス位置情報を取得する第３工程と、予め取得した第１基準ドレス位置情報と今回の第１ドレス位置情報との差から可動側電極の消耗量を算出すると共に、予め取得した第２基準ドレス位置情報と今回の第２ドレス位置情報との差から固定側電極の消耗量を算出する第４工程とを備えたことを特徴としている。
【００１２】
前記「予め取得した第１基準ドレス位置情報」は、可動側電極が新品のときに第１位置検出手段で検出された可動側電極の第１ドレス位置情報である。前記「予め取得した第２基準ドレス位置情報」は、固定側電極が新品のときに第２位置検出手段で検出された固定側電極の第２ドレス位置情報である。
【００１３】
請求項２のスポット溶接装置の電極消耗量計測装置は、移動駆動手段で移動可能な可動側電極と固定側電極とを備えた溶接ガンと、この溶接ガンを移動させる移動手段と、溶接ガンの両電極を整形研磨するドレス刃とドレス刃を回転駆動する回転駆動手段とを有する固定式ドレッサーと、移動駆動手段と移動手段と回転駆動手段とを制御する制御手段とを備えたスポット溶接装置の為の整形研磨後の両電極の消耗量を計測する装置において、
前記可動側電極の移動位置を検出する第１位置検出手段と、前記固定側電極の移動位置を検出する第２位置検出手段とを備え、前記制御手段に、移動駆動手段により可動側電極を所定の加圧力でドレス刃に押圧して整形研磨した研磨完了時に、前記第１位置検出手段により可動側電極の第１ドレス位置情報を取得し、予め取得した第１基準ドレス位置情報と今回の第１ドレス位置情報との差から可動側電極の消耗量を算出する第１演算手段と、前記移動手段で溶接ガンを移動させ、固定側電極をドレス刃に押圧しドレッサーの回転駆動手段が所定負荷状態で整形研磨した研磨完了時に、前記第２位置検出手段により固定側電極の第２ドレス位置情報を取得し、予め取得した第２基準ドレス位置情報と今回の第２ドレス位置情報との差から固定側電極の消耗量を算出する第２演算手段とを設けたことを特徴としている。
【００１４】
前記「予め取得した第１基準ドレス位置情報」、「予め取得した第２基準ドレス位置情報」については、請求項１と同様である。
【００１５】
請求項３のスポット溶接装置の電極消耗量計測装置は、請求項２の発明において、前記移動手段がロボットであり、前記第２位置検出手段がロボットの作動位置情報により固定側電極の移動位置を検出することを特徴としている。
【００１６】
請求項４のスポット溶接装置の電極消耗量計測装置は、請求項２又は３の発明において、前記ドレッサーの稼働状態及び整形研磨の異常を判定する異常判定手段を備えたことを特徴としている。
【発明の効果】
【００１７】
請求項１の発明によれば、第２工程において、可動側電極の整形研磨の完了後、直ちに可動側電極の第１ドレス位置情報の取得を実行することができ、第３工程において、固定側電極の整形研磨の完了後、直ちに固定側電極の第２ドレス位置情報の取得を実行することができるから、電極の研磨作業と電極の消耗量検出を並行的に同期処理可能となって、これらの作業の為の作業時間の短縮を図ることができ、溶接ラインの稼働ロスを低減することができる。
【００１８】
しかも、構造が簡単でコスト的に有利な固定式ドレッサーを採用して、固定側及び可動側の電極の消耗量の大小に関わらず、第４工程において、第２工程で取得した可動側電極の第１ドレス位置情報と予め取得した第１基準ドレス位置情報とを用いて可動側電極の消耗量を精度よく簡単に検出するとともに、第３工程で取得した固定側電極の第２ドレス位置情報と予め取得した第２基準ドレス位置情報とを用いて固定側電極の消耗量を精度よく簡単に検出することができる。
【００１９】
請求項２の発明によれば、スポット溶接装置は、溶接ガンと、移動手段と、固定式ドレッサーと、制御手段とを備えるとともに、可動側電極の移動位置を検出する第１位置検出手段と、固定側電極の移動位置を検出する第２位置検出手段とを備え、前記制御手段に、移動駆動手段により可動側電極を所定の加圧力でドレス刃に押圧して整形研磨した研磨完了時に、第１位置検出手段により可動側電極の第１ドレス位置情報を取得し、予め取得した第１基準ドレス位置情報と今回の第１ドレス位置情報との差から可動側電極の消耗量を算出する第１演算手段と、移動手段で溶接ガンを移動させ、固定側電極をドレス刃に押圧しドレッサーの回転駆動手段が所定負荷状態で整形研磨した研磨完了時に、第２位置検出手段により固定側電極の第２ドレス位置情報を取得し、予め取得した第２基準ドレス位置情報と今回の第２ドレス位置情報との差から固定側電極の消耗量を算出する第２演算手段とを設けたので、基本的に、請求項１の発明と同様の効果が得られる。
【００２０】
請求項３の発明によれば、前記溶接ガンを移動させる移動手段がロボットであるので、汎用性に優れた移動手段となり、前記第２位置検出手段はロボットの作動位置情報により固定側電極の移動位置を検出するので、固定側電極の第２ドレス位置情報を確実に取得することができる。
請求項４の発明によれば、前記ドレッサーの稼働状態及び整形研磨の異常を判定する異常判定手段を備えたため、前記稼働状態及び整形研磨の異常を検知して、異常発生がない良好な研磨が行えたことを研磨時に保証する。また、異常発生時には、異常発生を外部に報知することで、不良発生を未然に防止し対策を講ずることができる。
【発明を実施するための最良の形態】
【００２１】
本発明のスポット溶接装置の電極消耗量計測技術では、ドレッサーを稼働状態として、可動側電極をドレス刃に押圧して整形研磨し、研磨完了時（加圧保持の状態）に可動側電極の第１ドレス位置情報を取得し、固定側電極をドレス刃に押圧して整形研磨し、研磨完了時（旋回負荷保持の状態）に固定側電極の第２ドレス位置情報を取得し、予め取得した第１基準ドレス位置情報と今回取得した第１ドレス位置情報との差から可動側電極の消耗量を算出し、予め取得した第２基準ドレス位置情報と今回取得した第２ドレス位置情報との差から固定側電極の消耗量を算出する。
【実施例】
【００２２】
図１〜図７に示すように、スポット溶接装置１は、移動手段に相当する例えば６軸のロボット２、ロボット２のアーム先端部に装備された溶接ガン３、溶接ガン３の両電極１２，１３（固定側電極１２と可動側電極１３）を整形研磨する固定式ドレッサー４、ロボット２と溶接ガン３と固定式ドレッサー４を制御する制御手段に相当するコントローラ５を備えている。
【００２３】
図１、図２、図７に示すように、溶接ガン３は、ロボット２のアーム先端部に固定されたベース部材１０、ベース部材１０に固定されたコ字形のアーム１１、アーム１１の先端部に交換可能に取付けられた固定側電極１２（アーム側電極１２）、固定側電極１２と同心上に且つ対向するようにロッド１４の先端部に交換可能に取付けられた可動側電極１３（ロッド側電極１３）、固定側電極１２に対して可動側電極１３を接近離隔方向へロッド１４を介して移動可能な移動駆動手段に相当するサーボモータからなる溶接ガン駆動モータ１５、溶接ガン駆動モータ１５に付設されたエンコーダ１６を備え、溶接ガン駆動モータ１５とエンコーダ１６がコントローラ５に電気的に接続されている。
【００２４】
図１、図３〜図７に示すように、固定式ドレッサー４は、そのドレッサー本体２０に、溶接ガン３の両電極１２，１３を整形研磨するドレス刃２１、ドレス刃２１を回転駆動する回転駆動手段に相当するサーボモータからなるドレッサー駆動モータ２２、ドレッサー駆動モータ２２に付設されたエンコーダ２３を備え、ドレッサー駆動モータ２２とエンコーダ２３がコントローラ５に電気的に接続され、定位置に立設されたフレーム２４の上部にドレッサー本体２０が片持ち状に固定支持されている。
【００２５】
ドレッサー本体２０は、ベース部材２７を有し、そのベース部材２７に、ドレス刃２１が上下方向の軸心回りに回転自在に支持されるとともに、ドレッサー駆動モータ２２が垂下状に取付けられ、ドレッサー駆動モータ２２の出力がギヤ機構２８を介してドレス刃２１に伝達される。ドレス刃２１は電極１２，１３を択一的に研磨可能に、このドレス刃２１として両電極１２，１３に夫々対応する上下２組のドレス刃２１が設けられている。
【００２６】
２組のドレス刃２１はギヤ機構２８を介して回転される共通のリング体２１ａに固定され、各ドレス刃２１はリング体２１ａに架着された十字に交差する１対の刃形成部材に、両回転方向に対応するように形成された１対の刃で構成されている。各電極１２，１３は、その先端部が外周テーパ部を有する所定形状に形成され、この所定形状に電極１２，１３を整形研磨可能に１対の刃を含む刃形成部材が形成されている。
【００２７】
図７に示すように、コントローラ５は、図示の各部３０〜３６を備え、ロボット制御部３０はロボット２（図示略の複数のモータ）を制御し、溶接ガン制御部３１は溶接ガン３（溶接ガン駆動モータ１５、図示略の電極駆動部）を制御し、ドレッサー制御部３２は固定式ドレッサー４（ドレッサー駆動モータ２２）を制御し、これらの制御によりワークにスポット溶接が行われる。
【００２８】
ロボット制御部３０は、ロボット２の作動位置情報により固定側電極１２の移動位置を演算する移動位置演算部３０ａを有し、この移動位置演算部３０ａ等が固定側電極１２の移動位置を検出する第２位置検出手段に相当する。溶接ガン制御部３１は、溶接ガン駆動モータ１５の動作電流値を検出する電流検出部３１ａ、エンコーダ１６からの信号を受けて可動側電極１３の移動位置を演算する移動位置演算部３１ｂを有し、エンコーダ１６と移動位置演算部３１ｂが、可動側電極１３の移動位置を検出する位置検出手段に相当する。ドレッサー制御部３２は、ドレッサー駆動モータ２２の動作電流値を検出する電流検出部３２ａ、エンコーダ２３からの信号を受けてドレス刃２１の回転速度を演算する回転速度演算部３２ｂを有する。
【００２９】
電極位置情報取得部３４は、位置情報取得手段に相当し、第１電極位置情報取得部３４ａ、第２電極位置情報取得部３４ｂにて構成される。第１電極位置情報取得部３４ａは、基準位置を登録する基準電極（新品電極）を用い本システムを使用する初期時に、ロボット２により溶接ガン３を前記研磨位置に移動させ、溶接ガン駆動モータ１５により可動側電極１３を所定の加圧力でドレス刃２１に押圧した押圧時に、場合によっては、更にドレッサー駆動モータ２２によりドレス刃２１を回転させ、電極１３を整形研磨した研磨完了時に、移動位置演算手段３１ｂから可動側電極１３の第１基準ドレス位置情報を取得する。
【００３０】
第２電極位置情報取得部３４ｂは、同様に基準電極（新品電極）を用い本システムを使用する初期時に、ロボット２により溶接ガン３を前記研磨位置に移動させ、ロボット２により固定側電極１２を所定の加圧力でドレス刃２１に押圧した押圧時に、場合によっては、更にドレッサー駆動モータ２２によりドレス刃２１を回転させ、ドレッサー駆動モータ２２が所定負荷状態で電極１２を整形研磨した研磨完了時に、移動位置演算手段３０ａから固定側電極１２の第２基準ドレス位置情報を取得する。
【００３１】
第１基準ドレス位置情報（可動側電極消耗量算出基準）と第２基準ドレス位置情報（固定側電極消耗量算出基準）は、本システムを使用する初期時に登録するもので、溶接ガンの形状変更及びドレッサーの設置位置変更等が行われない限り、データを更新する必要はない。
【００３２】
電極消耗量演算部３５は、演算手段に相当し、第１電極消耗量演算部３５ａ、第２電極消耗量演算部３５ａにて構成される。第１電極消耗量演算部３５ａは、第１演算手段に相当し、溶接ガン駆動モータ１５により可動側電極１３を所定の加圧力でドレス刃２１に押圧して整形研磨した研磨完了時（加圧保持の状態）に、移動位置演算部３１ｂから第１ドレス位置情報を取得し、予め取得した第１基準ドレス位置情報と今回の第１ドレス位置情報との差から可動側電極１３の消耗量Ｘを算出し、第２電極消耗量演算部３５ｂは、第２演算手段に相当し、ロボット２で溶接ガン３を移動させ、固定側電極１２をドレス刃２１に押圧し固定式ドレッサー４のドレッサー駆動モータ２２が所定負荷状態で整形研磨した研磨完了時（旋回負荷保持の状態）に、移動位置演算部３０ａから固定側電極１２の第２ドレス位置情報を取得し、予め取得した第２基準ドレス位置情報と今回の第２ドレス位置情報との差から固定側電極１２の消耗量Ｙを算出する。
【００３３】
電極研磨処理異常判定部３６は、異常判定手段に相当し、固定式ドレッサー４の稼働状態及び整形研磨状態の異常を判定する。ここで、ロボット２、溶接ガン３、固定式ドレッサー４、コントローラ５により、スポット溶接装置１の為の整形研磨後の各電極１２，１３の消耗量を計測する電極消耗量計測装置６が構成されている。
【００３４】
次に、両電極１２，１３の研磨と消耗量計測の為にコントローラ５が実行する処理・制御について詳しく説明する。尚、この処理・制御を実行する為のプログラムがコントローラ５のコンピュータＲＯＭ等に格納され、この処理・制御は電極１２，１３の研磨開始の指令を受けて開始される。
【００３５】
図８に示すように、この処理・制御が開始されると、先ず、ロボット２が制御されて、溶接ガン３が前記研磨位置へ移動し（Ｓ１）、両電極１２，１３がドレス刃２１を挟んで位置し且つ可動側電極１３がドレス刃２１に近接した研磨作業開始位置に到達すると（Ｓ２）、ドレッサー駆動モータ２２が制御されて、ドレス刃２１の旋回動作が開始される（Ｓ３）。このドレッサー駆動モータ２２の制御では、ドレス刃２１の回転数が諸条件に基づいて指定された指定回転数（例えば、４００ｒｐｍ）になるように、微小時間毎に、ドレス刃２１の検出回転数とドレッサー駆動モータ２２の検出電流値から指令電流値が設定され、その指令電流値にドレッサー駆動モータ２２の検出電流値が収束するように電流値制御が行われる。これによりドレス刃２１が定回転数制御される。
【００３６】
次に、ドレス刃２１の回転数が監視され、例えば０．１秒程度経過し、指定回転数に到達すると（Ｓ４；Yes ）、溶接ガン駆動モータ１５が制御されて、可動側電極１３が固定側電極１２に接近する下方へ駆動され、これにより、可動側電極１３がドレス刃２１に当接してドレス刃２１を押圧する加圧動作が開始される（Ｓ５）。Ｓ３，Ｓ４；Yes が、固定式ドレッサー４をドレッサー駆動モータ２２で所定の稼働状態とする第１工程に相当する。この溶接ガン駆動モータ１５の制御では、溶接ガン駆動モータ１５の検出電流値が、諸条件に基づいて指定された指定加圧力に対応する（設定された加圧力電流値テーブルから決まる）指令電流値に収束するように電流値制御が行われる。これにより研磨時の加圧トルクが定トルク制御される。
【００３７】
次に、可動側電極１３の加圧力が監視され、例えば０．１秒程度経過し、指定加圧力に到達する（Ｓ６；Yes ）、つまり、溶接ガン駆動モータ１５の検出電流値が指令電流値に到達すると、研磨開始とされ、研磨加工時間の計時が開始される（Ｓ７）。その後、研磨加工時間が監視され、諸条件に基づいて指定された指定研磨加工時間（例えば０．５秒）を経過すると（Ｓ８；Yes ）、研磨完了とされ、その研磨完了時に検出された可動側電極１３の第１ドレス位置情報が取得される（Ｓ９）。Ｓ５、Ｓ６；Yes 、Ｓ７、Ｓ８；Yes 
、Ｓ９が第２工程に相当する。
【００３８】
そして、予め取得された可動側電極１３の第１基準ドレス位置情報とＳ９で今回取得された可動側電極１３の第１ドレス位置情報との差から可動側電極１３の消耗量Ｘが算出され（Ｓ１０）、次に、ロボット２が制御されて、溶接ガン３が全体的に上方へ駆動され、或いは、溶接ガン駆動モータ１５が制御されて、可動側電極１３が固定側電極１２から離隔する上方へ駆動され、電極１２，１３の開放動作が開始される（Ｓ１１）。
【００３９】
次に、図９に示すように、ロボット２が制御されて、溶接ガン３が全体的に上方へ駆動され、固定側電極１２がドレス刃２１に当接することで、固定側電極１２の研磨動作が開始される（Ｓ１２）。その後、ドレッサー駆動モータ２２の検出電流値が監視され、指定電流値に到達すると（Ｓ１３；Yes ）、ドレッサー駆動モータ２２が所定負荷状態で整形研磨する駆動状態となり、ここで、研磨開始とされ、研磨加工時間の計時が開始される（Ｓ１４）。その後、研磨加工時間が監視され、諸条件に基づいて指定された指定研磨加工時間（例えば０．５秒）を経過すると（Ｓ１５；Yes ）、研磨完了とされ、その研磨完了時に検出された固定側電極１２の第２ドレス位置情報が取得される（Ｓ１６）。
【００４０】
Ｓ１２、Ｓ１３；Yes 、Ｓ１４、Ｓ１５；Yes 、Ｓ１２が第３工程に相当する。そして、予め取得された固定側電極１２の第２基準ドレス位置情報とＳ１６で今回取得された固定側電極１２の第２ドレス位置情報との差から固定側電極１２の消耗量Ｙが算出される（Ｓ１７）。ここで、Ｓ１０、Ｓ１７が第４工程に相当する。その後、ロボット２と溶接ガン駆動モータ１５が制御されて、溶接ガン３が両電極１２，１３をドレス刃２１から離隔させた研磨作業完了位置に到達すると（Ｓ１８；Yes ）、ドレッサー駆動モータ２２が制御されて、ドレス刃２１の旋回動作が停止され（Ｓ１９）、ロボット２が制御され、溶接ガン３が作業元位置の方へ移動し（Ｓ２０）、その作業元位置に到達すると（Ｓ２１）、この処理・制御が終了する。
【００４１】
ここで、図１０に基づいて説明すると、実線で今回の研磨に供する両電極１２，１３を示し、点線で新品の研磨に供する両電極１２，１３を示している。尚、（ａ）は、両電極１２，１３の研磨作業開始位置を示している。（ｂ）は、可動側電極１３が基準位置情報となる第１基準ドレス位置になり、ドレス刃２１に近接する。
【００４２】
（ｃ）は可動側電極１３の研磨完了時の状態を示し、（ｂ）から（ｃ）の状態になる過程において、溶接ガン駆動モータ１５により可動側電極１３が下降駆動されて、可動側電極１３は新品研磨完了時からの消耗量Ｘに相当する距離下降するが、ここで、可動側電極１３の第１ドレス位置情報が取得され、この第１ドレス位置情報と第１基準ドレス位置情報から、可動側電極１３の消耗量Ｘが算出される。
【００４３】
（ｄ）は固定側電極１２が基準位置情報となる第２基準ドレス位置になり、ドレス刃２１に近接する。（ｅ）は固定側電極１２の研磨完了時の状態を示し、（ｄ）から（ｅ）の状態になる過程において、ロボット２により溶接ガン３が上昇駆動されて、固定側電極１２は新品研磨完了時からの消耗量Ｙに相当する距離上昇するが、ここで、固定側電極１２の第２ドレス位置情報が取得され、この第２ドレス位置情報と第２基準ドレス位置情報から、固定側電極１２の消耗量Ｙが算出される。
【００４４】
ところで、上記の処理・制御と並行に、Ｓ３〜Ｓ１９の実行中には旋回チェック処理が実行され、Ｓ６〜Ｓ８の実行中とＳ１３〜Ｓ１５の実行中には研磨作業監視処理が実行され、Ｓ５〜Ｓ１８の実行中には加圧チェック処理が実行される。次に、この処理について説明する。尚、この処理を実行する為のプログラムがコントローラ５のコンピュータＲＯＭ等に格納されている。
【００４５】
先ず、図１１に示すように、旋回チェック処理では、ドレッサー駆動モータ２２の電流について、指令電流値−検出電流値≦基準値か否か判定され（Ｓ３０）、Ｓ３０；Yes の場合、次に、検出電流値≦上限値か否か判定され（Ｓ３１）、Ｓ３１；Yes の場合、ドレス刃２１の旋回制御の追従が正常と判定され、次に、ドレス刃２１の旋回動作が停止でない場合（Ｓ３２；No）、リターンし、ドレス刃２１の旋回動作が停止の場合（Ｓ３２；Yes ）、終了する。
【００４６】
一方、指令電流値−検出電流値≦基準値でない場合（Ｓ３０；No）、追従異常判定（Ｓ３３）が行われ、また、検出電流値≦上限値でない場合（Ｓ３１；No）、過負荷異常判定（Ｓ３４）が行われ、夫々、Ｓ３５において、その異常に関する異常報知が何らかの報知機器を用いて行われ、終了する。Ｓ３３、Ｓ３４の異常判定が行われた場合には、実行中の図８、図９の処理・制御を中断させることが好ましい。
【００４７】
次に、図１２に示すように、研磨作業監視処理では、ドレッサー駆動モータ２２の電流について、下限値≦検出電流値≦上限値（異常判定電流値）か否か判定され（Ｓ４０）、Ｓ４０；Yes の場合、ドレス刃２１への電極１２，１３の接触が正常と判定され、次に、指定研磨加工時間を経過していない場合（Ｓ４１；No）、リターンし、指定研磨加工時間を経過した場合（Ｓ４１；Yes ）、終了する。下限値≦検出電流値≦上限値（異常判定電流値）でない場合（Ｓ４０；No）、電極接触異常と判定され（Ｓ４２）、その異常に関する異常報知（Ｓ４３）が何らかの報知機器を用いて行われ、終了する。Ｓ４３の異常判定が行われた場合には、実行中の図８、図９の処理・制御を中断させることが好ましい。
【００４８】
次に、図１３に示すように、加圧チェック処理では、溶接ガン駆動モータ１５の電流について、指令電流値−検出電流値≦基準値か否か判定され（Ｓ５０）、Ｓ５０；Yes の場合、次に、検出電流値≦上限値か否か判定され（Ｓ５１）、Ｓ５１；Yes の場合、可動側電極１３の加圧制御の追従が正常と判定され、次に、電極１２，１３の開放動作が完了したか否か判定され（Ｓ５２）、Ｓ５２；Noの場合、リターンし、Ｓ５２；Yes の場合、終了する。
【００４９】
一方、指令電流値−検出電流値≦基準値でない場合（Ｓ５０；No）、追従異常判定（Ｓ５３）が行われ、また、検出電流値≦上限値でない場合（Ｓ５１；No）、過負荷異常判定（Ｓ５４）が行われ、夫々、Ｓ５５において、その異常に関する異常報知が何らかの報知機器を用いて行われ、終了する。Ｓ５３、Ｓ５４の異常判定が行われた場合には、実行中の図８、図９の処理・制御を中断させることが好ましい。
【００５０】
また、加圧チェック処理では、図１３の処理と並行的に図１４の処理が実行され、この処理では、先ず、溶接ガン駆動モータ１５の電流について、指令電流値≦検出電流値か否か判定され（Ｓ６０）、Ｓ６０；Yes の場合は、終了する。Ｓ６０；Noの場合、Ｓ５の電極加圧動作開始時から計時され時間が所定の加圧到達時間を経過したか否か判定され（Ｓ６１）、Ｓ６１；Noの場合、Ｓ６０へリターンし、Ｓ６１；Yes の場合、設定加圧力未到達と判定され（Ｓ６２）、Ｓ６３において、その未到達に関する異常報知が何らかの報知機器を用いて行われ、終了する。Ｓ６２の設定加圧力未到達判定が行われた場合には、実行中の図８、図９の処理・制御を中断させることが好ましい。
【００５１】
以上説明したスポット溶接装置１の電極消耗量計測装置６及び電極消耗量計測方法によれば、可動側電極１３の整形研磨の完了後、直ちに可動側電極１３の第１ドレス位置情報の取得を実行することができ、固定側電極１２の整形研磨の完了後、直ちに固定側電極１２の第２ドレス位置情報の取得を実行することができるから、電極１２，１３の研磨作業と電極１２，１３の消耗量検出を並行的に同期処理可能となって、これらの作業の為の作業時間の短縮を図ることができ、溶接ラインの稼働ロスを低減することができる。
【００５２】
しかも、構造が簡単でコスト的に有利な固定式ドレッサー４を採用して、固定側及び可動側の電極１２，１３の消耗量の大小に関わらず、今回取得した可動側電極１３の第１ドレス位置情報と予め取得した第１基準ドレス位置情報とを用いて可動側電極１３の消耗量を精度よく簡単に検出するとともに、今回取得した固定側電極１２の第２ドレス位置情報と予め取得した第２基準ドレス位置情報とを用いて固定側電極１２の消耗量を精度よく簡単に検出することができる。
【００５３】
依って、電極１２，１３の先端位置を正確に把握でき、つまり、スポット溶接時の高精度の位置制御と定電流制御とを実現し、電極１２，１３と溶接対象であるワーク（鋼板材料）との接触抵抗を一定に保って、安定した所望の接合強度を得ることが可能になる。
【００５４】
また、溶接ガン３を移動させる移動手段として、ロボット２を採用したので、汎用性に優れたものになり、ロボット２の作動位置情報により固定側電極１２の移動位置を検出するので、固定側電極１２の第２ドレス位置情報を確実に取得することができる。固定式ドレッサー４の稼働状態及び整形研磨状態の異常を判定するようにしたので、その稼働状態及び整形研磨状態の異常を検知して対策を講ずることができる。尚、本発明については、その趣旨を逸脱しない範囲において種々の変更を付加して実施可能である。
【図面の簡単な説明】
【００５５】
【図１】本発明の電極消耗量計測装置を含むスポット溶接装置の側面図である。
【図２】溶接ガンの側面図である。
【図３】固定式ドレッサーの側面図である。
【図４】固定式ドレッサーの正面図である。
【図５】固定式ドレッサー本体の平面図である。
【図６】固定式ドレッサー本体の部分的に切欠いた状態の側面図である。
【図７】電極消耗量計測装置を含むスポット溶接装置のブロック図である。
【図８】コントローラが実行するメインの処理・制御のフローチャートの前半である。
【図９】コントローラが実行するメインの処理・制御のフローチャートの後半である。
【図１０】両電極の研磨及び消耗量の算出を示す説明図である。
【図１１】コントローラが実行する旋回チェック処理のフローチャートである。
【図１２】コントローラが実行する研磨作業監視処理のフローチャートである。
【図１３】コントローラが実行する加圧チェック処理のフローチャートである。
【図１４】コントローラが実行する別の加圧チェック処理のフローチャートである。
【符号の説明】
【００５６】
１  スポット溶接装置
２  ロボット
３  溶接ガン
４  固定式ドレッサー
５  コントローラ
１２  固定側電極
１３  可動側電極
１５  溶接ガン駆動モータ
１６  エンコーダ
２１  ドレス刃
２２  ドレッサー駆動モータ
【図１】
2010017748.tif 000003
【図２】
2010017748.tif 000004
【図３】
2010017748.tif 000005
【図４】
2010017748.tif 000006
【図５】
2010017748.tif 000007
【図６】
2010017748.tif 000008
【図７】
2010017748.tif 000009
【図８】
2010017748.tif 000010
【図９】
2010017748.tif 000011
【図１０】
2010017748.tif 000012
【図１１】
2010017748.tif 000013
【図１２】
2010017748.tif 000014
【図１３】
2010017748.tif 000015
【図１４】
2010017748.tif 000016